(57)【要約】【課題】情報カードの大きさを拡大して多くの情報を表示できるようにする。【解決手段】情報カードＣは、箱の一側面をなす外側の板１１に切り取り線ＣＬ１が付けられて切り取り可能に形成される外側のカード１１Ｃと、箱Ｂの一側面をなす内側の板１５に延長部１５Ｅを有し、内側の板１５及び延長部１５Ｅに切り取り線ＣＬ２１，２２、ＣＬ３２が付けられて切り取り可能に形成される内側のカード１５Ｃ及び延長カード１５ｅとを備え、外側のカード１１Ｃと内側のカード１５Ｃが接着され、外側のカード１１Ｃと延長カード１５ｅに物品に関する各種の情報が表示されてなる。【選択図】図５
2017019525.tif 000002
【特許請求の範囲】
【請求項１】
箱の一部に当該箱に収容する物品に関する各種の情報を表示した情報カードを切り取り可能に備え、前記情報カードを前記物品の管理に使用する情報カード付き包装用箱において、
前記箱の一部は、外側の板と内側の板とからなる２重構造で、前記内側の板は延長部を有し、
前記情報カードは、
前記外側の板に所定の大きさ、形状に切り取り線が付けられて切り取り可能に形成される外側のカードと、
前記内側の板に前記外側のカードに対応して所定の大きさ、形状に切り取り線が付けられて切り取り可能に形成される内側のカード、及び前記内側の板の延長部に前記内側の板の切り取り線に連続して所定の大きさ、形状に切り取り線が付けられて切り取り可能に形成される延長カードと、
を備え、
前記外側のカードと前記内側のカードが接着され、前記外側の板と前記延長カードに前記物品に関する各種の情報が表示されてなる、
ことを特徴とする情報カード付き包装用箱。
【請求項２】
延長カードは常態として内側のカードの内面側に折り畳まれ、前記内側のカードの一端延長上に伸長可能に保持される請求項１に記載の情報カード付き包装用箱。
【発明の詳細な説明】
【技術分野】
【０００１】
本発明は、箱の一部を切り取り、情報カード（箱に収容する物品に関する各種の情報を表示したカード）として使用できるようにした情報カード付き包装用箱に関する。
【背景技術】
【０００２】
近年、医薬品を包装する箱の一部を切り取り、情報カード（医薬品に関する各種の情報を表示したカード）として使用できるようにした情報カード付き包装用箱が提案され、その一例が特許文献１により開示されている。
この文献１の包装用箱は、角筒状の周壁を形成するための複数の側板と、この複数の側板からなる角筒状体の一対の開口端面を各別に閉じる、側板から延出形成された端板とを備え、一方の端板は、その一方の開口端面を閉じる端板主部と、この端板主部から延出する端板延出部とを有する。端板延出部は、端板延出部基部、端板延出部切離し部及び端板延出部先端部からなり、その全体が、端板が延出形成された側板に対向する側板である正面側板の表面に重ね合わせられ、その正面側板の表面に端板延出部先端部において固定される。また、この端板延出部は、端板延出部基部と端板延出部切離し部の境目、及び端板延出部切離し部と端板延出部先端部の境目にそれぞれ第１切取線が形成され、端板延出部が端板延出部先端部で正面側板に固定された状態で第１切取線のうちの１本が破断されれば箱は開封され、２本が破断されれば箱が開封されるとともにその２本の第１切取線で挟まれた端板延出部切離し部が切り離されて情報カードとして利用可能になる。
このような構成により、第１切取線の破断による開封箇所が箱の最上部になるので、開封後、物品を収容したままにしても、物品が箱から大きくはみ出すことがない上、物品を再度箱に封緘することができる。また、２本の第１切取線を破断することによって箱が開封されるとともに端板延出部切離し部が得られる。この端板延出部切離し部は、２本の第１切取線について任意に定められた間隔に相当する寸法を有し、細長い形態ではない情報カードとして利用可能である。すなわち、箱の開封とともに得られる端板延出部切離し部を、情報量が多く一覧性も高い情報カードとして得ることができる。なお、物品に関する情報としては、物品の名前（商品名等）、特徴、個数（１つの物品が複数の物品からなる場合はその物品の個数や量）、使用法の説明、使用期限、製造番号、注意書き、バーコード等の各種コード、製造会社名等のうち、所望の情報を文字、記号等で表わした情報が挙げられる。物品が医薬品である場合は、その調剤管理に有用な情報、特に医薬品の取り違えによる医療事故の防止に有用な各種情報が挙げられる。また、この情報カードは、箱内部から取り出した物品に、抜落ちや損傷を生じさせることなく括り付け可能である。この場合、開封して商品が取り出されて無用になった箱が廃棄される際に、この情報カードを、箱から取り出された商品に輪ゴムやひも等の括付部材によって容易かつ見栄えよく、また見やすく括り付けることができる。
【先行技術文献】
【特許文献】
【０００３】
【特許文献１】実用新案登録第３１６７２７７号公報
【発明の概要】
【発明が解決しようとする課題】
【０００４】
しかしながら、この種の包装用箱は、医薬品など収容する物品の大きさに応じて箱の大きさが決まり、情報カードを箱の一部の所定の位置に設けようとすると、情報カードの情報量が箱の一部の当該所定の位置の範囲に制限され、物品に関する各種の情報の量が多い場合に、情報が入りきらないことがある、という問題がある。
【０００５】
本発明は、このような従来の問題を解決するものであり、この種の情報カード付き包装用箱において、情報カードを箱の一部に設ける場合に、情報カードの大きさを箱の当該一部の大きさよりも拡大して、情報カードに多くの情報を表示できるようにすること、を目的とする。
【課題を解決するための手段】
【０００６】
上記目的を達成するために、本発明は、箱の一部に当該箱に収容する物品に関する各種の情報を表示した情報カードを切り取り可能に備え、前記情報カードを前記物品の管理に使用する情報カード付き包装用箱において、前記箱の一部は、外側の板と内側の板とからなる２重構造で、前記内側の板は延長部を有し、前記情報カードは、前記外側の板に所定の大きさ、形状に切り取り線が付けられて切り取り可能に形成される外側のカードと、前記内側の板に前記外側のカードに対応して所定の大きさ、形状に切り取り線が付けられて切り取り可能に形成される内側のカード、及び前記内側の板の延長部に前記内側の板の切り取り線に連続して所定の大きさ、形状に切り取り線が付けられて切り取り可能に形成される延長カードとを備え、前記外側のカードと前記内側のカードが接着され、前記外側の板と前記延長カードに前記物品に関する各種の情報が表示されてなる、ことを要旨とする。
この場合、延長カードは常態として内側のカードの内面側に折り畳まれ、前記内側のカードの一端延長上に伸長可能に保持されることが好ましい。
【発明の効果】
【０００７】
本発明の情報カード付き包装用箱によれば、箱の一部を外側の板と内側の板とからなる２重構造とし、内側の板に延長部を設け、情報カードを、外側の板に所定の大きさ、形状に切り取り可能に形成される外側のカードと、内側の板に外側のカードに対応して所定の大きさ、形状に切り取り可能に形成される内側のカード、及び内側の板の延長部に内側のカードに連続して所定の大きさ、形状に切り取り可能に形成される延長カードとにより構成し、外側のカードと内側のカードを接着して、外側の板と延長カードに物品に関する各種の情報を表示するようにしたので、情報カードを箱の一部に設ける場合に、情報カードの大きさを箱の当該一部の大きさよりも拡大して、情報カードに多くの情報を表示することができる、という本発明独自の格別な効果を奏する。
【図面の簡単な説明】
【０００８】
【図１】本発明の一実施の形態における情報カード付き包装用箱の構成を示す斜視図
【図２】同包装用箱の組み立て前の紙基材を示す平面図（展開図）
【図３】同包装用箱を開封し、情報カードを切り取る手順を示す斜視図（同包装用箱から情報カードを切り取っている状態を示す図）
【図４】同包装用箱を開封し、情報カードを切り取る手順を示す斜視図（同包装用箱から情報カードを切り取った状態を示す図）
【図５】同包装用箱を開封し、情報カードを切り取る手順を示す斜視図（同包装用箱から切り取った後の情報カードの状態を示す図）
【発明を実施するための形態】
【０００９】
次に、この発明を実施するための形態について図を用いて説明する。なお、この実施の形態では、特に、医薬品を包装するのに使用する情報カード付き包装用箱を例示している。
【００１０】
図１に示すように、情報カード付き包装用箱Ｂ（以下、単に包装用箱Ｂ、箱Ｂと称する場合がある。）は、箱Ｂの一部に、この箱Ｂに収容する医薬品に関する各種の情報を表示した情報カードＣを切り取り可能に備え、この情報カードＣを医薬品の管理に使用するものである。
この包装用箱Ｂでは、特に、箱Ｂの一部は、外側の板１１と内側の板１５とからなる２重構造で、内側の板１５に延長部１５Ｅ（図２参照）を有し、情報カードＣは、外側の板１１に所定の大きさ、形状に切り取り線ＣＬ１が付けられて切り取り可能に形成される外側のカード１１Ｃと、内側の板１５に外側のカード１１Ｃに対応して所定の大きさ、形状に切り取り線ＣＬ２が付けられて切り取り可能に形成される内側のカード１５Ｃ、及び内側の板１５Ｃの延長部１５Ｅ（図２参照）に内側の板１５の切り取り線ＣＬ２に連続して所定の大きさ、形状に切り取り線ＣＬ３（図２参照）が付けられて切り取り可能に形成される延長カード１５ｅ（図２参照）とを備え、外側のカード１１Ｃと内側のカード１５Ｃが接着され、外側のカード１１Ｃと延長カード１５ｅに医薬品に関する各種の情報が表示されて構成される。
【００１１】
この場合、包装用箱Ｂは、図１、図２に示すように、上下に長い長方形の４側面１１−１４（１５、１５Ｅ（図２参照））と、４側面１１−１４の上下両端を封じる略台形の蓋２２，２０、２１，２３とを備えて、上下に長い箱形に構成される。そして、この箱Ｂの一部をなす一側面１１が外側の板１１と内側の板１５の２重構造からなり、内側の板１５の一端には延長部１５Ｅが上下の長さ（高さ）が内側の板１５の上下方向の長さと略同じで前後方向の長さ（幅）が内側の板１５の前後の長さよりも少し小さい略長方形に形成され、この延長部１５Ｅは常態として内側の板１５の内面側に折り畳まれて、この延長部１５Ｅの内面と内側の板１５の内面が情報カードＣ（延長カード１５ｅ、内側のカード１５Ｃ（図２参照））となる一部分を除いて接着材を介して接着される。
また、この場合、切り取り線ＣＬ１、ＣＬ２、ＣＬ３（図２参照）は、一側面の上部側の一部に略四角形に付設されて、情報カードＣが切り取り可能に形成される。この場合、一側面をなす外側の板１１にあっては、この板１１の後側縁部上にこの板１１の上縁部から少し下がった所定の位置から下方に向けて所定の長さだけ下がった所定の位置まで縦方向の切り取り線ＣＬ１１が付けられるとともに、この板１１の上縁部から少し下がった所定の位置とこの位置から下方に向けて所定の長さだけ下がった所定の位置にそれぞれ横方向の切り取り線ＣＬ１２が付けられて、全体として略四角形に形成され、外側の板１１に外側のカード１１Ｃが切り取り可能に形成される。また、一側面をなす内側の板１５にあっては、外側の板１１の後側縁部上の縦方向の切り取り線ＣＬ１１に対応して、内側の板１５の前側縁部上に上縁部から少し下がった所定の位置から下方に向けて所定の長さだけ下がった所定の位置まで縦方向の切り取り線ＣＬ２１が付けられるとともに、外側の板１１の各横方向の切り取り線ＣＬ１２に対応して、内側の板１５の上縁部から少し下がった所定の位置とこの位置から下方に向けて所定の長さだけ下がった所定の位置にそれぞれ横方向の切り取り線ＣＬ２２が付けられ、そしてこれら横方向の切り取り線ＣＬ２２に連続して内側の板１５の延長部１５Ｅに横方向の切り取り線ＣＬ３２がこの延長部１５Ｅの延長端まで付けられて、内側の板１５から延長部１５Ｅに亘って、全体として四角形に形成され、内側の板１５に内側のカード１５Ｃが、この内側の板１５の延長部１５Ｅに内側のカード１５Ｃに連続する延長カード１５ｅ（図２参照）が切り取り可能に形成される。
このようにして箱Ｂの一側面の外側の板１１に形成された外側のカード１１Ｃと内側の板１５に形成された内側のカード１５Ｃは外側のカード１１の内面と内側のカード１５の外面が接着材により接着されて、一連の情報カードとして形成され、医薬品に関する各種の情報は、外側のカード１１Ｃの外面及び箱Ｂ内に隠れる延長カード１５ｅの外面に印刷により表示される。
なお、箱Ｂの正面となる他の側面１４には上側縁部側に上端面の蓋２２を切り離すための破断線ｃ１が略台形の溝形に、さらにその両端から上側縁部に沿って直線状に形成され、この側面１４の下側縁部側にこの箱Ｂを廃棄するときに、箱Ｂが折り畳みやすくなるように、下端面の蓋２３を切り離すための破断線ｃ２が略円弧状に形成される。
【００１２】
この情報カード付き包装用箱Ｂは、一枚のブランクシートから一体的に打ち抜かれて形成された一枚の紙基材（Ｐ１）からなり、この紙基材（Ｐ１）は各部が順次折り曲げられ、所定の各接着位置が接着固定されて組み立てられる。
【００１３】
図２にこの紙基材Ｐ１を示している。なお、この図２には紙基材Ｐ１の表面（組み立て後に表側となる面）が現れている。
図２に示すように、この紙基材Ｐ１は、全体が上下方向に長い直方体形状に組み立て可能に、直方体形状に組み立て後の状態で、左側面（外側の板）１１、背面１２、右側面１３、正面１４、さらに、左側面１１に重合され、左側面１１と正面１４とを連結する連結面（内側の板）１５及び箱Ｂ内で連結面１５から延びる延長部１５Ｅをなす相互に折り曲げ線Ｌ１−Ｌ４、Ｌ４１を介して連接して形成される４側面形状部Ｐ１１−Ｐ１４、Ｐ１５、１５Ｅ（左側面形状部Ｐ１１、背面形状部Ｐ１２、右側面形状部Ｐ１３、正面形状部Ｐ１４、及び連結面形状部Ｐ１５、延長部形状部Ｐ１５Ｅ）と、左側面形状部Ｐ１１及び右側面形状部Ｐ１３の上下方向の両端にそれぞれ折り曲げ線Ｌ５，Ｌ７及びＬ６，Ｌ８を介して形成され、直方体形状に組み立て後の状態で上面左フラップ１６、下面左フラップ１８及び上面右フラップ１７、下面右フラップ１９をなす上面左フラップ形状部Ｐ１６、下面左フラップ形状部Ｐ１８及び上面右フラップ形状部Ｐ１７、下面右フラップ形状部Ｐ１９と、背面形状部Ｐ１２の上方向の一端に折り曲げ線Ｌ９を介して形成され、直方体形状に組み立て後の状態で上端面外蓋２０をなす上端面外蓋形状部Ｐ２０及び背面形状部Ｐ１２の下方向の一端に折り曲げ線Ｌ１０を介して形成され、直方体形状に組み立て後の状態で下端面内蓋２１をなす下端面内蓋形状部Ｐ２１と、正面形状部Ｐ１４の上方向の一端に折り曲げ線Ｌ１１を介して形成され、直方体形状に組み立て後の状態で上端面内蓋２２をなす上端面内蓋形状部Ｐ２２及び正面形状部Ｐ１４の下方向の一端に折り曲げ線Ｌ１２を介して形成され、直方体形状に組み立て後の状態で下端面外蓋２３をなす下端面外蓋形状部Ｐ２３と、を有する。
この場合、４側面形状部Ｐ１１−Ｐ１４はそれぞれ上下に長い長方形に形成され、連結面形状部Ｐ１５は一端の延長部形状部Ｐ１５Ｅとともに上下に長い長方形に形成され、背面形状部Ｐ１２、正面形状部Ｐ１４（の左右方向の長さ）がそれぞれ左側面形状部Ｐ１１、右側面形状部Ｐ１３（の前後方向の長さ）よりも少し大きく形成される。上端面外蓋形状部Ｐ２０、下端面内蓋形状部Ｐ２１、上端面内蓋形状部Ｐ２２、下端面外蓋形状部Ｐ２３はそれぞれ略台形状に形成され、上端面の各フラップ形状部Ｐ１６、Ｐ１７、下端面の各フラップ形状部Ｐ１８、Ｐ１９はそれぞれ略四角形に形成され、上端面の外蓋、内蓋形状部Ｐ２０、Ｐ２２、下端面の外蓋、内蓋形状部Ｐ２３、Ｐ２１はそれぞれ、各フラップ形状部Ｐ１６、Ｐ１８、Ｐ１７、Ｐ１９よりも大きく形成され、上端面外蓋形状部Ｐ２０、下端面外蓋形状部Ｐ２３はそれぞれ、下端面内蓋形状部Ｐ２１、上端面内蓋形状部Ｐ２２よりも少し大きく形成される。また、連結面形状部Ｐ１５は上下方向の長さが左、右側面形状部Ｐ１１、Ｐ１３の上下方向の長さよりも少し小さく、前後方向の長さが左、右側面形状部Ｐ１１、Ｐ１３の前後方向と略同じ長さに形成される。延長部形状部Ｐ１５Ｅは連結面形状部Ｐ１５の正面形状部Ｐ１４側とは反対側となる一端に連続し、上下方向の長さが連結面形状部Ｐ１５の上下方向の長さと略同じで、前後方向の長さが連結面形状部Ｐ１５の前後方向の長さよりも少し小さく形成される。
また、この場合、正面形状部Ｐ１４の上端に上端面内蓋形状部Ｐ２２を切り離すための破断線ｃ１が略台形の溝形に、さらにその両端から折り曲げ線Ｌ１１上に沿って直線状に形成され、この正面形状部Ｐ１４の下端に、この箱Ｂを廃棄するときに、箱Ｂが折り畳みやすくなるように、下端面外蓋形状部Ｐ２３を切り離すための破断線ｃ２が折り曲げ線Ｌ１２の両端付近から正面形状部Ｐ１４内に略円弧状に形成される。
そして、この紙基材Ｐ１においては、箱Ｂの一側面の外側の板１１をなす左側面形状部Ｐ１１、内側の板１５をなす連結面形状部Ｐ１５及び延長部１５Ｅをなす延長部形状部Ｐ１５Ｅにそれぞれ、切り取り線ＣＬ１、ＣＬ２、ＣＬ３が略矩形状に付されて、この箱Ｂに包装される医薬品に関する各種の情報を表示する情報カードＣが切り取り可能に形成される。
この場合、左側面形状部Ｐ１１は箱Ｂの組み立て状態で一側面の外側の板１１をなし、この形状部Ｐ１１には、この形状部Ｐ１１と背面形状部Ｐ１２との間の折り曲げ線Ｌ１上に、この形状部Ｐ１１の上縁部から少し下がった所定の位置から下方に向けて所定の長さだけ下がった所定の位置まで縦方向の切り取り線ＣＬ１１が付けられるとともに、この切り取り線ＣＬ１１の上下各端部からこの形状部Ｐ１１上に縦方向の切り取り線ＣＬ１１に対して直角に前側縁部まで横方向の切り取り線ＣＬ１２が付けられて、全体として四角形に形成され、左側面形状部Ｐ１１に外側のカード１１Ｃが切り取り可能に形成される。また、連結面形状部Ｐ１５及び延長部形状部Ｐ１５Ｅはそれぞれ箱Ｂの組み立て状態で一側面の内側の板１５及びその延長部１５Ｅをなし、この形状部Ｐ１５には、左側面形状部Ｐ１１の後側縁部上の縦方向の切り取り線ＣＬ１１に対応して、この形状部Ｐ１５と正面形状部Ｐ１４との間の折り曲げ線Ｌ４上に、この形状部Ｐ１５の上縁部から少し下がった所定の位置から下方に向けて所定の長さだけ下がった所定の位置まで縦方向の切り取り線ＣＬ２１が付けられるとともに、この切り取り線ＣＬ２１の上下各端部からこの形状部Ｐ１５上に縦方向の切り取り線ＣＬ２１に対して直角に横方向の切り取り線ＣＬ２２が付けられ、そしてこれら横方向の切り取り線ＣＬ２２に連続して連結面形状部Ｐ１５の一端の延長部形状部Ｐ１５Ｅに横方向の切り取り線ＣＬ３２がこの延長部形状部Ｐ１５Ｅの延長端まで付けられて、連結面形状部Ｐ１５から延長部形状部Ｐ１５Ｅに亘って、全体として四角形に形成され、連結面形状部Ｐ１５に内側のカード１５Ｃが、延長部形状部Ｐ１５Ｅに内側のカード１５Ｃに連続する延長カード１５ｅがそれぞれ切り取り可能に形成される。
紙基材Ｐ１はこのようにして形成され、この紙基材Ｐ１の４側面形状部Ｐ１１−Ｐ１４や上下の外蓋形状部Ｐ２０、Ｐ２３などに医薬品に関する各種の情報が印刷され、特に、左側面形状部Ｐ１１の外側のカード１１Ｃの外面、及び延長部形状部Ｐ１５Ｅの延長カード１５ｅの外面に、とりわけ医療機関で利用性の高い情報が印刷される。
【００１４】
このようにしてこの紙基材Ｐ１は各形状部Ｐ１１−Ｐ２３が各折り曲げ線Ｌ１−Ｌ１２を介して折り曲げられ、上下方向に長い直方体形状の箱形に組み立てられる。すなわち、延長部１５Ｅをなす延長部形状部Ｐ１５Ｅが折り曲げ線Ｌ４１を介して連結面形状部Ｐ１５の内面側に折り畳まれ、相互の内面間が延長カード１５ｅ及び内側のカード１５Ｃの各部分を除き接着材を介して接着され、この状態で、連結面１５をなす連結面形状部Ｐ１５が正面１４をなす正面形状部Ｐ１４に対して折り曲げ線Ｌ４を介して直角に折り曲げられて連結面１５をなし、正面形状部Ｐ１４に対して右側面形状部Ｐ１３が折り曲げ線Ｌ３を介して直角に折り曲げられて右側面１３、正面１４をなす。同様に、この右側面１３に対して背面形状部Ｐ１２が折り曲げ線Ｌ２を介して直角に折り曲げられて背面１２をなす。そして、この背面１２に対して左側面形状部Ｐ１１が折り曲げ線Ｌ１を介して直角に折り曲げられ、連結面１５の外面に重合されて左側面１１をなす。この左側面１１の内面と連結面１５の外面が内側、外側の各カード１５Ｃ、１１Ｃの部分を除き接着剤を介して連結され、これにより４側面１１−１４が組み立てられる。この状態から、右側面１３、左側面１１の上下の各フラップ形状部Ｐ１７，Ｐ１９、Ｐ１６，Ｐ１８が折り曲げ線Ｌ６，Ｌ８、Ｌ５，Ｌ７を介して直角に折り曲げられて上下の各フラップ１７，１９、１６，１８をなし、正面１４、背面１２の各内蓋形状部Ｐ２２、Ｐ２１が折り曲げ線Ｌ１１、Ｌ１０を介して直角に折り曲げられて上下の内蓋２２、２１をなし、正面１４、背面１２の各外蓋形状部Ｐ２３、Ｐ２０が折り曲げ線Ｌ１２、Ｌ９を介して直角に折り曲げられて上下の外蓋２３、２０をなし、それぞれが順次重合される。そして、各外蓋２３、２０の内側で各外蓋２３、２０と各内蓋２１、２２が接着剤を介して連結されることにより、上下の各端面が封止される。これにより、この紙基材Ｐ１は直方体形状の箱形に組み立てられ、この場合、一側面の外側の板をなす左側面１１、内側の板をなす連結面１５及び延長部１５Ｅの３面間に情報カードＣが切り取り可能に設けられる。
【００１５】
包装用箱Ｂはこのようにして構成され、医薬品がこの包装用箱Ｂに包装され、調剤薬局などの医療機関へ供給される。
そして、医療機関では、この包装用箱Ｂに収容された医薬品を使用するに際し、包装用箱Ｂを開封し、必要に応じて、この箱Ｂの一側面、すなわち、左側面１１、連結面１５及び延長部１５Ｅの３面から情報カードＣを切り取って使用することになる。
この情報カードＣを使用する場合、図３に示すように、外側のカード１１Ｃの一端、この場合、前側縁部を引き上げるようにして、外側のカード１１Ｃを横方向の切り取り線ＣＬ１２に沿って切り取ることにより、この外側のカード１１Ｃに接着材を介して接着された内側のカード１５Ｃもまた縦方向の切り取り線ＣＬ２１に沿って、続いて、横方向の切り取り線ＣＬ２２に沿って切り取られていき、図４に示すように、外側のカード１１Ｃを縦方向の切り取り線ＣＬ１１に沿って切り取ると、外側のカード１１Ｃ、内側のカード１５Ｃがそれぞれ外側の板１１、内側の板１５から切り抜かれ、続けて、延長カード１５ｅを延長部１５Ｅから横方向の切り取り線ＣＬ３２に沿って切り取ることにより、箱Ｂの一側面から情報カードＣを切り取ることができる。この切り取った情報カードＣは、図５に示すように、外側のカード１１Ｃとこのカード１１Ｃの端部から内側のカード１５Ｃを介して延びる延長部１５ｅを有する拡大されたカードになっていて、外側のカード１１Ｃの外面及び延長部１５ｅの外面に医薬品に関する各種の情報が記載され、延長部１５ｅを有する分だけ、多くの情報が表示される。
この情報カードＣは医薬品とともに保管棚などに備え置かれる。この場合、情報カードＣを、保管棚の見やすい位置に接着テープなどを使って貼り付けてもよく、また、医薬品の上面に設置しその上から輪ゴムなどを掛けて医薬品に括り付けもよい。これにより、必要に応じて、情報カードＣからその医薬品に関する多くの情報を確認することができる。
【００１６】
以上説明したように、この情報カードＣ付き包装用箱Ｂによれば、箱Ｂの一部を外側の板１１と内側の板１５とからなる２重構造とし、内側の板１５に延長部１５Ｅを設け、情報カードＣを、外側の板１１に所定の大きさ、形状に切り取り可能に形成される外側のカード１１Ｃと、内側の板１５に外側のカード１１Ｃに対応して所定の大きさ、形状に切り取り可能に形成される内側のカード１５Ｃ、及び内側の板１５の延長部１５Ｅに内側のカード１５Ｃに連続して所定の大きさ、形状に切り取り可能に形成される延長カード１５ｅとにより構成し、外側のカード１１Ｃと内側のカード１５Ｃを接着して、外側のカード１１Ｃ及び延長カード１５ｅに医薬品に関する各種の情報を表示するようにしたので、情報カードＣを箱Ｂの一部に設ける場合に、情報カードＣの大きさを箱Ｂの当該一部の大きさよりも拡大して、情報カードＣに多くの情報を記載、表示することができる。
【００１７】
なお、この実施の形態では、情報カードＣを箱Ｂの一側面の一部に設けるものとしたが、箱Ｂの一側面全体に設けることもでき、このようにすることで、情報カードＣの大きさをさらに拡大して、情報カードＣにさらに多くの情報を記載、表示することができる。
また、この実施の形態では、医薬品を包装するのに使用する情報カード付き包装用箱として例示したが、この情報カード付き包装用箱は、医薬品に限定されることなく、各種の物品を包装する箱に同様に適用でき、同様の作用効果を奏することができる。
【符号の説明】
【００１８】
Ｂ  情報カード付き包装用箱
Ｃ  情報カード
１１  左側面（外側の板）
１１Ｃ  外側のカード
１２  背面
１３  右側面
１４  正面
１５  連結面（内側の板）
１５Ｃ  内側のカード
１５Ｅ  延長部
１５ｅ  延長カード
１６  上面左フラップ
１７  上面右フラップ
１８  下面左フラップ
１９  下面右フラップ
２０  上端面外蓋
２１  下端面内蓋
２２  上端面内蓋
２３  下端面外蓋
Ｐ１  紙基材
Ｐ１１  左側面形状部
Ｐ１２  背面面形状部
Ｐ１３  右側面形状部
Ｐ１４  正面形状部
Ｐ１５  連結面形状部
Ｐ１５Ｅ  延長部形状部
Ｐ１６  上面左フラップ形状部
Ｐ１７  上面右フラップ形状部
Ｐ１８  下面左フラップ形状部
Ｐ１９  下面右フラップ形状部
Ｐ２０  上端面外蓋形状部
Ｐ２１  下端面内蓋形状部
Ｐ２２  上端面内蓋形状部
Ｐ２３  下端面外蓋形状部
Ｌ１−Ｌ１２  折れ線
ｃ１、ｃ２  破断線
ＣＬ１  切り取り線
ＣＬ１１  縦方向の切り取り線
ＣＬ１２  横方向の切り取り線
ＣＬ２  切り取り線
ＣＬ２１  縦方向の切り取り線
ＣＬ２２  横方向の切り取り線
ＣＬ３  切り取り線
ＣＬ３２  横方向の切り取り線
【図１】
2017019525.tif 000003
【図２】
2017019525.tif 000004
【図３】
2017019525.tif 000005
【図４】
2017019525.tif 000006
【図５】
2017019525.tif 000007